(57)【要約】【課題】  合成樹脂により一体成形される内枠を長尺金属体で補強することにより、構造が簡単で歪みが少なく、機械的強度をも確保することができる内枠を備える遊技機を提供すること【解決手段】  Ｌ字状の補強形状を有する右側方金属体５１および左側方金属体６１は、前面カバー部材７とプレート１６とを開閉自在とするヒンジ機構、および内枠３と前面カバー部材７との施錠機構と一体に構成されて、内枠３の裏面に垂設される金属体取付ボス４５に装着される。このとき、右および左側方金属体５１、６１の各々の枠対向板部５９Ａ、６７Ａを内枠の右／左側方縦枠部に対向させると共に、枠対向板部５９Ａ、６７Ａに略直角に垂設されている垂設板部５９Ｂ、６７Ｂを備えてＬ字状に構成された金属体により、合成樹脂による一体成形の内枠３の機械的強度が確保される。【選択図】  図７
2005052399.tif 000002
【特許請求の範囲】
【請求項１】
遊技者側に開閉自在に取り付けられると共に、前面より遊技領域を視認可能に保護する保護扉と賞球を受ける上皿を備える上皿支持扉とが開閉自在に取り付けられる内枠を備える遊技機において、
前記内枠は、
合成樹脂により一体成形される枠体と、
前記枠体の第１側方縦枠部および第２側方縦枠部の各々の裏面縦方向に沿って、前記枠体を補強する一対の長尺金属体とを備えて構成されることを特徴とする遊技機。
【請求項２】
前記一対の長尺金属体のうち、
第１長尺金属体には、前記保護扉の該内枠への開閉施錠部を備え、
第２長尺金属体には、前記保護扉および前記上皿支持扉の開閉ヒンジ部を備えることを特徴とする請求項１に記載の遊技機。
【請求項３】
前記一対の長尺金属体のうち少なくとも何れか一方は、
長尺金属体と玉通路部内の導電部材とを接続する第１導電部と、
長尺金属体と該遊技機外部の接地電位とを接続する第２導電部とを備えることを特徴とする請求項１または２に記載の遊技機。
【請求項４】
前記第１導電部および前記第２導電部を備える長尺金属体は、前記第２長尺金属体であることを特徴とする請求項３に記載の遊技機。
【請求項５】
前記枠体は、
前記枠体の周縁において裏面側に立設する側壁部と、 
前記第１および第２側方縦枠部の各々の裏面縦方向に沿って、前記長尺金属体を支持するボス部とを備えることを特徴とする請求項１に記載の遊技機。
【発明の詳細な説明】
【技術分野】
【０００１】
本発明は、遊技盤を保護する保護扉と賞球を受ける上皿を備える上皿支持扉とが開閉自在に取り付けられると共に、前面側に開閉自在な内枠を備えた遊技機に関するものであり、特に、合成樹脂で一体に成形されながら機械的強度を有することが可能な内枠を備えた遊技機に関するものである。
【背景技術】
【０００２】
近年、パチンコ機に代表される遊技機では、合板等の木材により構成されていた従来の前枠（内枠）に代えて、合成樹脂等で構成される前枠（内枠）が提案されるに至っている。
例えば、特許文献１に開示されているパチンコ機では、上縁と左右両側縁に、前面側に突出する線状の補強リブを一体成形した合成樹脂製の前枠（内枠）が記載されている。補強リブによって前枠（内枠）の剛性を向上させるものである。
【０００３】
【特許文献１】特開２００２−１７７５７０号公報
【発明の開示】
【発明が解決しようとする課題】
【０００４】
しかしながら、前記特許文献１に記載されているパチンコ機の前枠（内枠）では、合成樹脂で一体成形される前枠（内枠）の機械的強度を確保するために、補強リブを前枠（内枠）の前面側の上縁と左右両側縁とに線状または格子状に突出させて設ける必要がある。前枠（内枠）の構造が複雑となり、成形時に歪みを誘引するおそれがあり問題である。
【０００５】
また、前枠（内枠）を成形するための型の構造も複雑になるため、型の製作工数が増加してしまうこととなる。成形品の歩留まり低下を誘引するおそれがあることと相俟って、前枠（内枠）の製造コストの上昇を招来するおそれがあり問題である。
【０００６】
本発明は前記従来技術の課題の少なくとも１つを解消するためになされたものであり、合成樹脂により一体成形される内枠を長尺金属体で補強することにより、構造が簡単で歪みが少なく、機械的強度をも確保することができる内枠を備える遊技機を提供することを目的とする。
【課題を解決するための手段】
【０００７】
前記目的を達成するために、請求項１に係る遊技機は、遊技者側に開閉自在に取り付けられると共に、前面より遊技領域を視認可能に保護する保護扉と賞球を受ける上皿を備える上皿支持扉とが開閉自在に取り付けられる内枠を備える遊技機において、内枠は、合成樹脂により一体成形される枠体と、枠体の第１側方縦枠部および第２側方縦枠部の各々の裏面縦方向に沿って、枠体を補強する一対の長尺金属体とを備えて構成されることを特徴とする。
【０００８】
請求項１の遊技機では、前面より遊技領域を視認可能に保護する保護扉と賞球を受ける上皿を備える上皿支持扉とが開閉自在に取り付けられて遊技者側に開閉自在とされる内枠は、合成樹脂により一体成形される枠体が、枠体の第１側方縦枠部および第２側方縦枠部の各々の裏面縦方向に沿って一対の長尺金属体により補強される。
【０００９】
これにより、合成樹脂により一体成形で成形される枠体の機械的強度を図るために、枠体自身に特別な構造を必要とすることなく、構造を簡単にすることで枠体のひずみを低減することができる。更に、内枠としての機械的強度は、枠体の第１および第２側方縦枠部の各々の裏面縦方向に沿って補強される長尺金属体により確保することができる。
【００１０】
長尺金属体による補強により、枠体自身に機械的強度を確保する構造を設ける必要がなく、簡単な構造の枠体を合成樹脂の一体成形により製造することができ、合成樹脂が元来備える美麗な表面の仕上がりや軽量といった特徴を有する内枠を実現することができる。
【００１１】
また、請求項２に係る遊技機は、請求項１に記載の遊技機において、一対の長尺金属体のうち、第１長尺金属体には、保護扉の内枠への開閉施錠部を備え、第２長尺金属体には、保護扉および上皿支持扉の開閉ヒンジ部を備えることを特徴とする。
【００１２】
請求項２の遊技機では、合成樹脂性の枠体を補強する第１および第２長尺金属体は、各々、保護扉の内枠への開閉施錠部、および保護扉、上皿支持扉の開閉ヒンジ部といった機能を合わせ有している。
【００１３】
これにより、合成樹脂性の枠体を補強する長尺金属体を、従来の内枠において備えられている開閉施錠部および開閉ヒンジ部といった機能を奏する部材と一体に構成することができ、新たに専用部材を追加する必要はない。部材の追加による製造コストの上昇を伴うことなく美麗で軽量な内枠を実現することができる。
【００１４】
また、請求項３に係る遊技機は、請求項１または２に記載の遊技機において、一対の長尺金属体のうち少なくとも何れか一方は、長尺金属体と玉通路部内の導電部材とを接続する第１導電部と、長尺金属体と遊技機外部の接地電位とを接続する第２導電部とを備えることを特徴とする。
【００１５】
請求項３の遊技機では、玉通路部内の導電部材は、第１導電部、長尺金属体、および第２導電部を介して遊技機外部の接地電位に接続される。尚、ここで、第１および第２導電部は、導体金属で構成されている導電性の部材であり、導電線等の線状部材のほか、板状部材等のその他の形態の部材も含むものである。
【００１６】
これにより、玉通路部内で誘起される静電気を接地電位に有効に放電することができる。ここで、接地電位とは、例えば、遊技機ホールにおいて、所定数の遊技機ごとに区画されている島設備に配置されている接地端子である。
【００１７】
また、請求項４に係る遊技機は、請求項３に記載の遊技機において、第１導電部および第２導電部を備える長尺金属体は、第２長尺金属体であることを特徴とする。保護扉および上皿支持扉の開閉ヒンジ部を備える第２長尺金属体に第１および第２導電部を備えることにより、内枠の開閉に関わらず、第２長尺金属体と玉通路部内の導電部材および遊技機外部の接地電位との離間距離の差異を最小限に留めることができ、第１および第２導電部を必要最小限の長さにすることができる。
【００１８】
また、請求項５に係る遊技機は、請求項１に記載の遊技機において、枠体は、枠体の周縁において裏面側に立設する側壁部と、第１および第２側方縦枠部の各々の裏面縦方向に沿って、長尺金属体を支持するボス部とを備えることを特徴とする。
【００１９】
枠体の周縁において裏面側に側壁部を立設するという簡単な枠体構造より、枠体を構成する平板部の裏面に所定間隔で縦横に補強リブを配設することなく、枠体のひずみを防止することができる。また、第１および第２側方縦枠部のボス部を備えているので、枠体と長尺金属体とを固定して枠体の機械的強度を容易に確保することができる。
【発明の効果】
【００２０】
本発明によれば、合成樹脂により一体成形される内枠を長尺金属体で補強することにより、構造が簡単で歪みが少なく、機械的強度をも確保することができる内枠を備える遊技機を提供することが可能となる。
【発明を実施するための最良の形態】
【００２１】
以下、本発明の遊技機について具体化した実施形態を図１乃至図７に基づき図面を参照しつつ詳細に説明する。
【００２２】
図１に本実施形態に係るパチンコ機１の正面図を示す。所定量のパチンコ球を賞球として払い出す、いわゆる第１種パチンコ機であり、一般にＣＲ機（カードリーダー機）と称される。ＣＲ機は、カード式球貸機とパチンコ機１とによって構成され、これらは対をなして設置される。尚、図１においては、カード式球貸機の図示を省略している。
【００２３】
パチンコ機１は、木製の外枠２に対して合成樹脂製の内枠３が、上ヒンジ４および下ヒンジ５を介して外枠２に対して開閉自在に取り付けられている。そして、この内枠３のほぼ上半分の前側には、前面カバー部材７が左端縁部の上下を軸支されて開閉自在に取付けられている。また、この前面カバー部材７のほぼ中央部には略円形の窓部８が開設され、この窓部８の外周縁部に形成されるガラス保護枠に装着された２枚のガラスを通して遊技領域を見ることができるように構成されている。また、前面カバー部材７の窓部８の上端縁部には、光の３原色を含む各色の発光ダイオードが内蔵され、遊技中のエラーを表示するエラー表示電飾ランプ１０が取り付けられている。また、このエラー表示電飾ランプ１０の左右外側には、「当たり」等の発生を報知したり、遊技中に光演出をする各電飾ランプ１１が取り付けられている。また、前面カバー部材７の前面部分は、不透明な合成樹脂製の前面部材１３で覆われており、この各電飾ランプ１０、１１と窓部８の上端周縁部との間に、不図示の光の３原色を含む各色のダイオードが左右方向に内蔵され、遊技中に光演出が行われる。
【００２４】
また、前面カバー部材７の右側中央部には、内枠３および前面カバー部材７を施錠する施錠機構（図５、参照）を操作するためのシリンダ錠５２が設けられている。前面カバー部材７を開くためには、このシリンダ錠５２に所定のキーを挿入して所定方向に回せば、施錠機構のロック状態が解除されて、前面カバー部材７のみがオープンされる。
【００２５】
また、この前面カバー部材７の下側には、公知の賞球払出装置（特開平１１−３０９２６５号公報等参照）を介して払い出される賞球を受ける上皿１５がスピーカ１５Ａを内蔵して樹脂製プレート１６に配設されている。また、このプレート１６は、左端縁部の上下を軸支されて、前面カバー部材７を開放後、内側に設けられた不図示のレバーを下げることにより開放できるように取り付けられている。また、この上皿１５の中央前面部には、カード式球貸機の操作ボタン１５Ｂ、１５Ｃ及びカード残高表示装置１５Ｄが設けられている。そして、その上皿１５の下には、下皿１８が配設される。また、上皿１５に連通する不図示の球送り機構を介して上皿１５のパチンコ球が操作ハンドル１９に連結された不図示の発射装置へ送られるよう構成されている。
【００２６】
図２は、パチンコ機１の左側面図である。パチンコ機１は外枠２の内側に収納されている。外枠２の上面における左右両端部は、上面と側面とを連結支持するＬ字状の支持金具で固定されている。このうちの左上端部を支持する支持金具６には、内枠３の左上端部に取り付けられている内枠ヒンジ金具と係合して上ヒンジ４を構成するヒンジ金具が連設されている。また、外枠２と内枠３との左下端部には下ヒンジ５が構成されている。上ヒンジ４および下ヒンジ５により、内枠３は外枠２に対して開閉自在に取り付けられている。
【００２７】
内枠３の上端部から中央部にかけての窓部８に対応する位置には、不図示の遊技盤が装着される遊技盤領域３Ａが設けられており、前面側より所定の奥行を有して内枠３の背面が形成されている。遊技盤領域３Ａに連設された下方位置は、開閉自在なプレート１６が備えられると共に、発射レール（不図示）等が取り付けられた略平板状の発射レールユニット（不図示）が配置される発射レール領域３Ｂが設けられており、遊技盤領域３Ａより浅い奥行を有している。更にその下方領域は、下皿１８にパチンコ球を排出する横長四角形の排出口３２、また、排出口３２の右側には、内枠３の裏側に配置される不図示のパチンコ球発射装置と操作ハンドル１９とを接続するための逃げ孔３４が形成される下皿領域３Ｃが設けられている。下皿領域３Ｃには奥行はなく、前面カバー部材７およびプレート１６と略同一の前面位置を有している。
【００２８】
また、内枠３には遊技領域を視認可能に保護する前面カバー部材７と賞球を受ける上皿を備えるプレート１６とを、内枠３に対して開閉自在とするヒンジ６２、６３、６４が、内枠３の左側方縦枠部に沿って装着される後述の左側方金属体６１（図６、参照）に連設されて取り付けられている。
【００２９】
図３には内枠３について、正面図、平面図、右側面図、およびＸＸおよびＹＹ断面図を示す。内枠３は、ＡＢＳ等の合成樹脂の一体成形により中空部を有する枠体として成形される。上方横枠部から右側方縦枠部を経て、下方横枠部に至る３方向の枠部は、前面側において共通の平板部３１により連設されて構成されている。
【００３０】
右側方縦枠部には、内枠３自身、および内枠３の前面に装着されている前面カバー部材７の開閉用シリンダ錠５２（図５、参照）が裏面から貫挿される錠貫通孔３７Ａと、シリンダ錠５２により前面カバー部材７と開施錠されるカバー部材フック５３、５３（図５、参照）が裏面から貫挿される錠爪貫通孔３７Ｂ、３７Ｂとが穿設されている。尚、シリンダ錠５２とカバー部材フック５３とは、後述する右側方金属体５１（図５、参照）と一体に成形されている。
【００３１】
下方横枠部は下皿領域３Ｃを構成している。ほぼ中央部には下皿１８に連通する横長四角形の排出口３２が形成されている。また、この排出口３２の左右両側には、下皿取付ボス３３、３３が前面側に垂設されている。また、排出口３２の右側には、内枠３の裏面側に配置される不図示のパチンコ球発射装置と操作ハンドル１９とを接続するための逃げ孔３４が形成されている。
【００３２】
左側方縦枠部には、その前面側に平板部３１に比して平板位置が後退した第１後退平板部３８が形成されている。更に、第１後退平板部３８のうち、内枠３の遊技盤領域３Ａおよび発射レール領域３Ｂの各々の上下端部には、前面カバー部材７および上皿を備えるプレート１６を内枠３に対して開閉自在とするヒンジ６２、６３、６４が裏面から貫挿されるヒンジ貫通孔３９、３９、３９が穿設されている。尚、ヒンジ６２、６３、６４は、後述する左側方金属体６１（図６、参照）と一体に成形されている。
【００３３】
第１後退平板部３８は、前面カバー部材７およびプレート１６がヒンジ６２、６３、６４を軸として回動する際、前面カバー部材７およびプレート１６の左方端部が内枠３の左側方縦枠部と干渉しないようにするためである。これにより、ヒンジ６２、６３、６４との係合部位より左方にある前面カバー部材７およびプレート１６の左方端部が、開動作により係合部位を軸として内枠３に向かって回動軌跡を描くことが可能な領域を確保することができる。
【００３４】
また、四辺の各枠部の外周には、後方に向かって垂直に延出された側壁部４１が形成されている。
【００３５】
発射レール領域３Ｂは、下皿領域３Ｃの上方に隣接して形成される。平板部３１から後方に向かって、発射レールユニット（不図示）の載置に十分な所定奥行寸法を有して垂直に延出された側壁部４２が形成され、その後退位置に第２後退平板部３５が形成されている。尚、図示はされていないが、第２後退平板部３５には発射レールユニット（不図示）の取り付けボスが設けられている。
【００３６】
遊技盤領域３Ａは、発射レール領域３Ｂの上方に隣接して形成される。平板部３１からは、後方に向かって所定奥行寸法を有して垂直に延出された側壁部４３が形成され、また第２後退平板部３５からは、後方に向かって所定奥行寸法を有して垂直に延出された側壁部４４が形成されている。後退位置の各角部には、その中央部に図示しない遊技盤取付ボスを配した遊技盤受部３６が形成されている。ここで、側壁部４３の奥行は、側壁部４２および側壁部４４の奥行の和と略同一の奥行を有して構成されており、遊技盤の装着に必要となる奥行寸法に設定されている。
【００３７】
図４は内枠３の背面図である。合成樹脂で一体成形される内枠について内枠自身で機械的強度を確保するためには、各枠部における平板部の裏面に所定間隔で縦横に補強リブを配設することが必要となる。すなわち、複雑な内枠構造とする必要があり、この構造を実現するための成形型のコストアップや成形時のひずみを抑制するための様々な工夫が必要とされる。
【００３８】
本実施形態の内枠３では、内枠構造を簡素化し製造コストや成形時のひずみを抑制するために、平板部３１、第１および第２平板部３８、３５の裏面には補強リブを設けない構造としている。内枠３では、機械的強度を確保するために従来の補強リブに代えて左／右側方縦枠部に沿って長尺金属体を装着して強度を確保する。左／右側方縦枠部に垂設されている金属体取付ボス４５は長尺金属体を支持するボスである。左／右側方縦枠部における十分な機械的強度を確保するために十分な間隔で備えられている。これらの金属体取付ボス４５の各々で金属体を支持することにより、内枠３が十分な機械的強度を確保することができる。
【００３９】
ここで、金属体取付ボス４５が配設される所定間隔は、内枠３を成形する合成樹脂の機械的強度、および内枠３に取り付けられる遊技盤、上皿１５、下皿１８、操作ハンドル１９や各種部材等の重量に応じて、更に補強部材である長尺金属体の寸法による強度や材質の強度等に応じて、適宜に調整することができる。所定間隔を狭めてやれば、機械的強度の不足する内枠に対して、または重量物の装着に対して強度を確保することが可能となる。
【００４０】
尚、内枠３の背面図における右上端部および右下端部にあるボスは、上ヒンジ４および下ヒンジ５に係合する内枠ヒンジ金具を内枠３に取り付けるためのヒンジ取付ボス４６である。図４においては、ヒンジ取付ボス４６が右上端部および右下端部において各々、４本備えられている場合を示したが、内枠３の機械的強度や内枠３に取り付けるべき部材の重量等に応じて適宜、ボスの本数および取付間隔を調整できることは、金属体取付ボス４５の場合と同様である。
【００４１】
また、図４においては、ヒンジ取付ボス４６を合成樹脂により内枠３に直接成形する場合を示したが、左側方金属体６１（図６）に配設するように構成することも可能である。
【００４２】
本実施形態において使用される長尺金属体を図５、６に示す。長尺金属体は断面Ｌ字状の金属板を有し、その一側面に左／右側方縦枠部の金属体取付ボス４５に係合する開口を配置して構成されるものである。図５、６の長尺金属体では、上記のＬ字状形状の金属板による内枠３の補強機能に加えて、他の機能をも合わせ奏する構造を有している。
【００４３】
図５に示す右側方縦枠部を補強する右側方金属体５１は、Ｌ字状の補強形状に施錠機構が一体に備えられた構成を有している。（Ａ）に正面図、（Ｂ）に平面図、（Ｃ）に左側面図を示す。
【００４４】
（Ａ）に示す正面図は、右側方金属体５１が内枠３の金属体取付ボス４５に支持された状態で、内枠３の右側面視により確認できる図である。Ｌ字状の金属体のうち内枠３の右側方縦枠部に並走する枠対向板部５９Ａの左方、すなわち内枠３の裏面から、金属体取付ボス４５のボス高を越え表面に突出してシリンダ錠５２が備えられている。シリンダ錠５２の先端は内枠３の錠貫通孔３７Ａを貫いて、内枠３の表面からの所定のキーの差込みが可能に備えられている。
【００４５】
キーを所定方向に回せば内枠フック５５が上方に回動して、内枠フック５５と外枠２の施錠部材（不図示）との係合状態が解除され、内枠３と外枠２とのロック状態が解除される。また、キーを反対方向に回せばカバー部材フック５３が下方に移動して、カバー部材フック５３と前面カバー部材７の施錠部材（不図示）との係合状態が解除され、内枠３と前面カバー部材７とのロック状態が解除される。また、内枠３の開状態においてレバー５４を下方に押圧することによってもカバー部材フック５３を下方に移動させることができ、内枠３と前面カバー部材７とのロック状態が解除される。
【００４６】
（Ｂ）に示す平面図では、右側方金属体５１について、施錠機構は省略しＬ字状の補強形状のみを示す。枠対向板部５９Ａと、枠対向板部５９Ａに対して略直角裏側方向に垂設された垂設板部５９ＢとによりＬ字状の形状を構成している。内枠３の前後への撓みに対しては、枠対向板部５９Ａにも同様な撓みが発生してしまうところ、垂設板部５９Ｂの存在により前後方向の撓みに対する強度を確保することができる。内枠３の左右への撓みに対しては、垂設板部５９Ｂにも同様な撓みが発生してしまうところ、枠対向板部５９Ａの存在により左右方向の撓みに対する強度を確保することができる。
【００４７】
（Ｃ）に示す左側面図では、内枠３の右側方縦枠部に備えられた金属体取付ボス４５に応じて支持開口５８が備えられている。金属体取付ボス４５に支持開口５８を嵌着することにより、あるいはネジ止めすることにより、右側方金属体５１を枠体に固定する。金属体取付ボス４５および支持開口５８の配置位置、配置数は、内枠３の大きさ、重量、金属体の太さ、長さ、材質等から決定される強度などにより、適宜に設定可能である。
【００４８】
また、右側方金属体５１には、枠対向板部５９Ａを越えて、内枠３の前面側からのキー操作が可能なようにシリンダ錠５２の貫通孔５６や、カバー部材フック５３を前面カバー部材７に係合させるためのフック貫通孔５７等が開孔されている。
【００４９】
図６に示す左側方縦枠部を補強する左側方金属体６１は、右側方金属体５１と同様のＬ字状の補強形状にヒンジ機構が一体に備えられた構成を有している。（Ａ）に正面図、（Ｂ）に平面図、（Ｃ）に左側面図を示す。
【００５０】
（Ａ）に示す正面図は、左側方金属体６１が内枠３の金属体取付ボス４５に支持された状態で、内枠３の左側面視により確認できる図である。Ｌ字状の金属板のうち内枠３の左側方縦枠部に並走する枠対向板部６７Ａの右方、すなわち内枠３の裏面から表面に向かって、金属体取付ボス４５のボス高を越え内枠３の貫通孔３９、３９、３９を越えて、ヒンジ６２乃至６４が備えられている。ヒンジ６２乃至６４の先端部には、前面カバー部材７、およびプレート１６の開閉用の回動軸と回動自在に係合する突起部６２Ａ乃至６４Ａが備えられている。これにより、前面カバー部材７、およびプレート１６が開閉自在に支持される。
【００５１】
（Ｂ）に示す平面図では、左側方金属体６１について、ヒンジ機構は省略しＬ字状の補強形状のみを示す。右側方金属体５１と同様に、枠対向板部６７Ａと、枠対向板部６７Ａに対して略直角裏側方向に垂設された垂設板部６７ＢとによりＬ字状の形状を構成している。枠対向板部６７Ａと垂設板部６７Ｂとの奏する作用・効果は、右側方金属体６１における枠対向板部５９Ａと垂設板部５９Ｂとの奏する作用・効果と同様であるので、ここでの説明は省略する。
【００５２】
左側方金属体６１には、両端が圧着端子等で加工された取付部６５Ａ、６５Ｂ、６６Ａ、６６Ｂで端部処理された２本の導電線６５、６６が、一端の取付部６５Ａ、６６Ａが垂設板部６７Ｂと導通をとって接続されている。一方の導電線６５は左側方金属体６１の上方にあって、他端の取付部６５Ｂが図示しない玉通路部における静電気防止用の導電体に接続される。また、他方の導電線６６は左側方金属体６１の下方にあって、他端の取付部６６Ｂがパチンコ機１の外部にある島設備アース（不図示）等の接地電位に接続される。
【００５３】
尚、導電体６５、６６の左側方金属体６１への接続位置は上記の例に限定されるものではなく、左側方金属体６１を介して、玉通路部における静電気防止用の導電体を接地電位にアースすることができれば、接続位置は、垂設板部６７Ｂである必要はない。枠対向板部６７Ａに接続される場合、枠対向板部６７Ａと垂設板部６７Ｂとの両方に接続される場合等適宜に選択できる。
【００５４】
また、導電線６５、６６の数の２本に限定されるものではない。接地電位へのアースが必要な部材の接地位置に応じて３本以上備えることも適宜に設定可能である。
【００５５】
また、本実施形態では、玉通路内に静電気放電用の導電体７３と、パチンコ機１の外部にある島設備のアースとを、導電線６５、６６を使用して接続する場合について説明したが、本発明における第１導電部および第２導電部は導電線に限定されるものではなく、板状等の部材を使用して構成することもできる。
【００５６】
例えば、導電線６５に代えて、接続端子７４を左側方金属体６１の位置まで延出させ直接接続したり、接続端子７４と左側方金属体６１との間を板状の導電性部材で接続することができる。また、導電線６６に代えて、左側方金属体６１と下ヒンジ５との間を導電線や導電板等で接続する。このとき、外枠２の下ヒンジ部材を島設備のアースに接続しておけば、パチンコ機１を設置することと同時に、島設備とのアース接続が完了することとなり、設置作業の効率化を図ることができる。
【００５７】
（Ｃ）に示す左側面図では、内枠３の左側方縦枠部に備えられた金属体取付ボス４５に応じて支持開口５８が備えられている。金属体取付ボス４５に支持開口５８を嵌着することにより、あるいはネジ止めすることにより、左側方金属体６１を枠体に固定する。金属体取付ボス４５および支持開口５８の配置位置、配置数は、内枠３の大きさ、重量、金属体の太さ、長さ、材質等から決定される強度などにより、適宜に設定可能である。
【００５８】
図７に示す斜視図は、左側方金属体６１および右側方金属体５１の、内枠３への装着の態様を示すものである。左側方金属体６１および右側方金属体５１の各々の枠対向板部５９Ａ、６７Ａを内枠裏面の左／右側方縦枠部に対向させた上で、内枠３の裏面に垂設されている金属体取付ボス４５に支持開口５８を係合させて支持補強とする。このとき、左側方金属体６１および右側方金属体５１の各々の垂設板部５９Ｂ、６７Ｂは、内枠３の内方に向けて配置される。
【００５９】
以上に説明した右側方金属体５１および左側方金属体６１は、平面形状が略Ｌ字状の形状を有するものとして説明したが、内枠３の機械的強度を確保できる強度を有していれば形状は自由に選択することができる。Ｕ字状、ロ字状等の形状、平板形状、または棒状形状であってもよい。
【００６０】
図６に示した導電線による接地結線の様子を図８に示す。図８は、パチンコ機を裏面から見た図である。説明の便宜上、玉通路と玉通路内に配置されている静電気防止用導電体の構成を模式的に示す。
【００６１】
不図示の補給装置から賞球タンク７１に供給されたパチンコ球は、玉供給時の落下衝撃やその後のタンクレール７２での転がり摩擦等から、賞球タンク７１およびタンクレール７２を構成している合成樹脂の内壁面との摩擦により静電気が発生し帯電してしまうことがある。帯電したパチンコ球が、賞球案内部（不図示）や賞球ケース（不図示）等を通過して入賞球排出通路（不図示）や下皿排出路（不図示）に流れてしまうと、帯電電位とその電荷量によっては、径路途中で電気的な悪影響を制御回路等の電気系統に与えかねない。
【００６２】
そこで、タンクレール７２等の玉通路内に静電気放電用の導電体７３を備えることが好ましい。導電体７３としては、玉通路の内壁に装着される板状の部材で構成してやれば玉の通過に支障にならず好都合である。更に、導電体７２の一角には外部との電気的な接続を取るための接続端子７４を備えておく。
【００６３】
接続端子７４と導電線６５の取付部６５Ｂを接続すると共に、導電線６６の取付部６６Ｂをパチンコ機１の外部にある島設備のアースに接続する。これにより、玉通路内の導電体７３は、接続端子７４を介して導電線６５に接続され、更に左側方金属体６１および導電線６６を介して島設備のアースに接続される。導電体７３とアースとが導電体で接続されることとなり、帯電したパチンコ球が玉通路内を流れる際、導電体７３に接触することにより、静電気が放電されることとなる。
【００６４】
以上詳細に説明したとおり、遊技機の一例として本実施形態に示したパチンコ機１によれば、ＡＢＳ等の合成樹脂により一体成形で成形される内枠３の枠体の機械的強度を図るために、内枠３の平板部３１、第１後退平板部３８、第２後退平板部３５等に補強リブを設ける等の特別な構造を必要とすることなく、補強リブを設けず簡単な構造にすることで枠体のひずみを低減することができる。更に、内枠３としての機械的強度は、枠体の第１および第２側方縦枠部である左および右側方縦枠部の各々の裏面縦方向に沿って補強される、長尺金属体である左側方金属体６１および右側方金属体５１により確保することができる。
【００６５】
右および左側方金属体５１、６１による補強により、枠体自身に機械的強度を確保する構造を設ける必要がなく、簡単な構造の枠体を合成樹脂の一体成形により製造することができ、合成樹脂が元来備える美麗な表面の仕上がりや軽量といった特徴を有する内枠３を実現することができる。
【００６６】
また、従来の内枠３において備えられている施錠機構を右側方金属体５１と一体に構成し、従来の内枠３において備えられている開閉ヒンジ部といった機能を左側方金属体６１と一体に構成することができ、補強用の金属体を新たに専用部材として追加する必要はない。部材の追加による製造コストの上昇を伴うことなく美麗で軽量な内枠３を実現することができる。
【００６７】
また、タンクレール７２等の玉通路部内に備えられる導電体７３から、接続端子７４、導電線６５、左側方金属体６１、および導電線６６を介して島設備のアースに至る導電経路が形成されるので、玉通路部内で誘起される静電気を接地電位に有効に放電することができる。
【００６８】
尚、本発明は前記実施形態に限定されるものではなく、本発明の趣旨を逸脱しない範囲内で種々の改良、変形が可能であることは言うまでもない。
例えば、本実施形態では、右および左側方金属体５１、６１を、内枠３の裏面に垂設された金属体取付ボス４５で支持する場合を示したが、本発明はこれに限定されるものではなく、金属体を枠体に密着させて固定することにより枠体を支持する構成とすることも可能である。
また、導電線６５、６６は、右側方金属体５１に備えてもよい。また、右および左側方金属体５１、６１の両側に備えてもよい。
【図面の簡単な説明】
【００６９】
【図１】本実施形態に係るパチンコ機の正面図である。
【図２】パチンコ機の左側面図である。
【図３】パチンコ機における内枠の正面図、右側面図、平面図、およびＸＸ、ＹＹ断面図である。
【図４】パチンコ機における内枠の背面図である。
【図５】右側方金属体の正面図、左側面図、および平面図である。
【図６】左側方金属体の正面図、右側面図、および平面図である。
【図７】右および左側方金属体が内枠に装着される態様を示す斜視図である。
【図８】左側方金属体を利用してタンクレール内のパチンコ球に帯電する静電気を放電する構成を示す模式図である。
【符号の説明】
【００７０】
１                              パチンコ機
２                              外枠
３                              内枠
３Ａ                            遊技盤領域
３Ｂ                            発射レール領域
３Ｃ                            下皿領域
４                              上ヒンジ
５                              下ヒンジ
７                              前面カバー部材
１６                            プレート
３１                            平板部
３２                            排出口
３３                            下皿取付ボス
３４                            逃げ孔
３７Ａ                          錠貫通孔
３７Ｂ                          錠爪貫通孔
３５                            第２後退平板部
３８                            第１後退平板部
３９                            ヒンジ貫通孔
４１、４２、４３、４４          側壁部
４５                            金属体取付ボス
４６                            ヒンジ取付ボス
５１                            右側方金属体
５２                            シリンダ錠
５３                            カバー部材フック
５５                            内枠フック
５８                            支持開口
５９Ａ、６７Ａ                  枠対向板部
５９Ｂ、６７Ｂ                  垂設板部
６１                            左側方金属体
６２、６３、６４                ヒンジ
６５、６６                      導電線
６５Ａ、６５Ｂ、６６Ａ、６６Ｂ  取付部
【図１】
2005052399.tif 000003
【図２】
2005052399.tif 000004
【図３】
2005052399.tif 000005
【図４】
2005052399.tif 000006
【図５】
2005052399.tif 000007
【図６】
2005052399.tif 000008
【図７】
2005052399.tif 000009
【図８】
2005052399.tif 000010